(57)【要約】【課題】この発明はベッドの側部に対して取り付けや取り外し作業が容易に行なえるようにしたベッド用連結柵を提供することにある。【解決手段】ベッドの側部に設けられる複数の側柵間の隙間をカバーするベッド用連結柵であって、下端部が上記ベッドに着脱可能に支持されて隣り合う一対の側柵１８間に設けられる軸部材２４と、この軸部材の上端に設けられ隣り合う一対の側柵の上端部に係合する上部連結柵２６と、上記軸部材の下端部に軸方向に沿ってスライド可能に設けられた下部連結柵２７と、この下部連結柵を隣り合う一対の側柵の下端部に係合させた状態で上記軸部材にスライド不能に保持する筒状体３２及びナット３５とを具備する。【選択図】　　図３
2004049557.tif 000002
【特許請求の範囲】
【請求項１】
ベッドの側部に設けられる複数の側柵間の隙間をカバーするベッド用連結柵であって、
下端部が上記ベッドに着脱可能に支持されて隣り合う一対の側柵間に設けられる軸部材と、
この軸部材の上端に設けられ隣り合う一対の側柵の上端部に係合する上部連結柵と、
上記軸部材の下端部に軸方向に沿ってスライド可能に設けられた下部連結柵と、
この下部連結柵を隣り合う一対の側柵の下端部に係合させた状態で上記軸部材にスライド不能に保持する保持手段と、
を具備したことを特徴とするベッド用連結柵。
【請求項２】
上記保持手段は、上記下部連結柵にスライド可能に外嵌されるとともに上端部が上記下部連結柵に連結され下端部には下端面に開放するスリット及び外周面におねじが形成された筒状体と、
この筒状体のおねじに捩じ込むことで上記筒状体の下端部を縮径方向に弾性変形させてこの筒状体を上記軸部材にスライド不能に固定するナットとを有することを特徴とする請求項１記載のベッド用連結柵。
【請求項３】
上記軸部材には軸方向に沿うガイド孔が形成され、上記下部連結柵には上記ガイド孔に係合して上記下部連結柵の上記軸部材に沿うスライド範囲を制限する係合部材が設けられていることを特徴とする請求項１記載のベッド用連結柵。
【発明の詳細な説明】
【０００１】
【発明の属する技術分野】
この発明はベッドの側部に複数の側柵を設けた場合に、隣り合う側柵間の隙間をカバーするためのベッド用連結柵に関する。
【０００２】
【従来の技術】
たとえば、介護用などのベッドにおいては、利用者や利用者に掛けられた寝具などが落下するのを防止するため、ベッドの側部に側柵を設けることができるようにしている。通常、上記側柵は、上記ベッドの側部のサイドフレームに形成された取り付け孔に着脱可能に取り付け、不要な場合には取り外すことができるようにしている。
【０００３】
上記側柵の幅寸法は、ベッドの長さ寸法よりも短く形成され、必要に応じて複数の側柵をベッドのサイドフレームに取り付けるということが行なわれている。複数の側柵をサイドフレームに取り付けると、隣り合う側柵の端部間に隙間が生じることがあり、その場合、その隙間に物や利用者の身体の一部が挟まることがある。そのため、上記隙間を隣り合う側柵の端部を連結する連結柵でカバーするということが行なわれている。
【０００４】
従来、上記連結柵としては特願平８−１８２４８５号公報に示される構成が知られている。この公報に示された連結柵は、隣り合う一対の側柵の上部横枠部材と下部横枠部材とを外側から挟み込み架け渡すようにした、第１の連結横杆と第２の連結横杆とを有し、これら横杆の中途部にはそれぞれ支柱部材を連結し、これら支柱部材を伸縮自在に連結して固定手段で固定することで、一対の側柵間に保持固定するようにいている。
【０００５】
【発明が解決しようとする課題】
ところで、従来の連結柵は、一方の支柱部材に他方の支柱部材をスライド可能に挿入して一対の支柱部材を伸縮自在とし、さらに一方の支柱部材に締め付けボルトを捩じ込むことで、これら一対の支柱部材を固定できるようにしている。
【０００６】
このような構成の連結柵を隣り合う一対の側柵に取り付けるためには、締め付けボルトを緩めた状態で、第１の連結横杆と第２の連結横杆とを、側柵の上部横杆部材と下部横杆部材とを挟む状態に位置決めし、その状態で締め付けボルトを締め込まなければならない。
【０００７】
つまり、一対の横杆部材を所定の位置に位置決めし、その位置決め状態を保持しながら締め付けボルトを締め込まなければならない。そのため、連結柵の取り付け作業がし難いということがあるばかりか、連結柵を取り外す際にボルトを緩めると、下部横杆部材が落下してしまうから、取り外し作業も容易でないということがある。
【０００８】
この発明は、隣り合う一対の側柵に対して容易に取り付けたり、取り外すことができるようにしたベッド用連結柵を提供することにある。
【０００９】
【課題を解決するための手段】
請求項１の発明は、ベッドの側部に設けられる複数の側柵間の隙間をカバーするベッド用連結柵であって、
下端部が上記ベッドに着脱可能に支持されて隣り合う一対の側柵間に設けられる軸部材と、
この軸部材の上端に設けられ隣り合う一対の側柵の上端部に係合する上部連結柵と、
上記軸部材の下端部に軸方向に沿ってスライド可能に設けられた下部連結柵と、
この下部連結柵を隣り合う一対の側柵の下端部に係合させた状態で上記軸部材にスライド不能に保持する保持手段と、
を具備したことを特徴とするベッド用連結柵にある。
【００１０】
請求項２の発明は、上記保持手段は、上記下部連結柵にスライド可能に外嵌されるとともに上端部が上記下部連結柵に連結され下端部には下端面に開放するスリット及び外周面におねじが形成された筒状体と、
この筒状体のおねじに捩じ込むことで上記筒状体の下端部を縮径方向に弾性変形させてこの筒状体を上記軸部材にスライド不能に固定するナットとを有することを特徴とする請求項１記載のベッド用連結柵にある。
【００１１】
請求項３の発明は、上記軸部材には軸方向に沿うガイド孔が形成され、上記下部連結柵には上記ガイド孔に係合して上記下部連結柵の上記軸部材に沿うスライド範囲を制限する係合部材が設けられていることを特徴とする請求項１記載のベッド用連結柵にある。
【００１２】
この発明によれば、ベッドに下端部が着脱可能に保持される軸部材の上端に上部連結柵を設け、下端部に下部連結柵をスライド可能に設けたから、下部連結柵を軸部材に沿ってスライドさせることで、連結柵の取り付け作業や取り外し作業を行なうことができる。
【００１３】
【発明の実施の形態】
以下、図面を参照しながらこの発明の一実施の形態を説明する。
【００１４】
図１は起床式のベッド１を示し、このベッド１はキャスタ２によって走行可能なベースフレーム３を有する。このベースフレーム３には上下駆動機構４によって上下駆動されるベッドフレーム５が設けられている。このベッドフレーム５には床板体６が設けられている。この床板体６は複数の床部に分割されている。
【００１５】
すなわち、床板体６は固定床部７を有し、この固定床部７はベッドフレーム５の長手方向中央部に固定されている。この固定床部７の一端には腰上げ床部８と背上げ床部９とが順次回動可能に連結されている。上記固定床部７の他端には第１の脚上げ床部１１と第２の脚上げ床部１２とが順次回動可能に連結されている。この床板体６の上面にはマットレス１３が載置されている。
【００１６】
上記ベッドフレーム５の下面側には背上げ駆動機構１４が設けられている。この背上げ駆動機構１４は図示しないアームによって上記背上げ床部９と上記第１、第２の脚上げ床部１１，１２とを上昇方向に駆動することができるようになっている。それによって、上記マットレス１３上に仰臥した利用者は脚部が持ち上げられながら上半身が起こされるようになっている。
【００１７】
上記ベッドフレーム５の両側（一側のみ図示）には複数、この実施の形態では５つの支持部材１６が所定間隔で設けられている。各支持部材１６には図２に鎖線で示すように上下方向に貫通した支持孔１７が形成されている。
【００１８】
上記ベッドフレーム５の側部には一対の側柵１８が着脱可能に支持されている。この側柵１８はパイプ材によって矩形状に形成された枠部１９と、この枠部１９に所定間隔で設けられた一対の脚部２０とを有し、これら脚部２０の下端部が上記支持部材１６の支持孔１７に着脱可能に挿入されて支持されている。
【００１９】
なお、図示しないが、脚部２０の下端部に大径部を形成したり、挿入孔１７の下端に小径部を形成することで、上記脚部２０を挿入孔１７に挿入したときに、この脚部２０を所定の挿入位置でスライド不能に保持できるようになっている。
【００２０】
一対の側柵１８間には隙間２２ができており、その隙間２２の上端と下端との開放端は連結柵２３によってカバーされる。連結柵２３は一対の側柵１８間の隙間２２に設けられる軸部材２４を有する。この軸部材２４は図２と図３に示すように下端部に形成された挿入部２５が上記支持部材１６の支持孔１７に着脱可能に挿入支持されている。
【００２１】
上記軸部材２４の上端には断面形状が円弧状に形成された上部連結柵２６が長手方向の中途部下面を固着して設けられている。軸部材２４の下端部には下部連結柵２７がスライド可能に支持されている。この下部連結柵２７は上部連結柵２６と同様、断面形状が円弧状に形成されていて、長手方向の中途部には図４に示すようにスライド管２８が貫通して固着されている。そして、このスライド管２８が上記軸部材２４にスライド可能に装着されている。
【００２２】
上記スライド管２８には係合部材としてのねじ２９が先端部を内周面に突出させて捩じ込まれている。このねじ２９は上記軸部材２４の下端部に軸方向に沿って所定の長さで穿設されたガイド孔３１に挿入されている。したがって、下部連結柵２７は、上記ガイド孔３１の範囲、つまり図２に実線で示す位置と鎖線で示す位置との間で上下方向にスライド可能となっているとともに、周方向に回転するのが阻止されている。
【００２３】
上記スライド管２８の上記下部連結柵２７の下面に突出した部分には筒状体３２の上端部が外嵌固定されている。この筒状体３２の下端部には、外周面におねじ３３が形成されているとともに、下端面に開放した複数のスリット３４が周方向に、たとえば９０度間隔で形成されている。
【００２４】
上記筒状体３２のおねじ３３には、上記軸部材２４にスライド可能に外嵌された筒状のナット３５が螺合される。上記おねじ３３にナット３５を螺合すると、上記筒状体３２の下端部が縮径方向に弾性変形する。それによって、筒状体３２と一体的に設けられた上記下部連結柵２７が上記軸部材２４に対してスライド不能に固定される。
【００２５】
上記構成の連結柵２３を一対の側柵１８間に設けるには、まず、筒状体３２のおねじ３３に螺合されたナット３５を緩めて下部連結柵２７を図２に鎖線で示す下方位置までスライドさせる。その状態で、上下の連結柵２６，２７を側柵１８の面に対して交差する方向に向け、軸部材２４を一対の側柵１８間の隙間２２に上方もしくは側方から挿入し、その下端部の挿入部２５をベッドフレーム５の側部に設けられた支持部材１６の支持孔１７に挿入する。
【００２６】
上部連結柵２６が側柵１８の上端よりもわずかに上方で、下部連結柵２７が下端よりも下方の状態で、上下の連結柵２６、２７の向きを側柵１８と平行になるように変え、上部連結柵２６を隣り合う一対の側柵１８の上端に係合させる。ついで、下部連結柵２７を上昇させて一対の側柵１８の下端に係合させ、ナット３５を締め込んで下部連結柵２７をスライド不能に保持固定する。
【００２７】
それによって、上部連結柵２６と下部連結柵２７とが一対の側柵１８間の隙間２２の上端と下端との開放をカバーした状態で、連結柵２３を側柵１８に保持固定することができる。
【００２８】
上記連結柵２７を取り外す場合には、まず、ナット３５を緩めて下部連結柵２７を下方へスライドさせ、側柵１８との係合を外す。つぎに、軸部材２４をわずかに上昇させて上部連結柵２６と側柵１８との係合を外したならば、上下の連結柵２６、２７の向きを側柵１８の面に対して交差する方向に向ける。そして、下端部の挿入部２５が支持部材１６の支持孔１７から外れる位置まで軸部材２４を上昇させれば、連結柵２３を側柵１８から取り外すことができる。
【００２９】
すなわち、上記構成の連結柵２３によれば、側柵１８を取り付ける際には、軸部材２４の上端に固定された上部連結柵２６を側柵１８の上端に係合させた状態で、下部連結柵２７を軸部材２４に沿ってスライドさせて側柵１８の下端に係合固定することができる。その際、連結柵２３は上部連結柵２６と側柵１８との係合によって側柵１８に保持されているから、下部連結柵２７を側柵１８の下端に係合させて固定する作業を容易に行なうことができる。
【００３０】
また、連結柵２３を側柵１８から取り外す際、下部連結柵２６を下方へスライドさせても、連結柵２３は取り付け時と同様、上部連結柵２６と側柵１８との係合によって側柵１８に保持されている。そのため、下部連結柵２６を側柵１８から外しても、上部連結柵２６や軸部材２４が落下するようなことがないから、取り外し作業も取り付け作業と同様、容易に行なうことができる。
【００３１】
上記下部連結柵２６は軸部材２４に対してねじ２９がガイド孔３１に沿って移動する範囲内でスライド可能に保持されている。そのため、筒状体３２のおねじ３３に螺合されたナット３５を緩めても、下部連結柵２６が軸部材２４から外れることがないから、そのことによっても作業性の向上が図れる。
【００３２】
なお、上記一実施の形態では下部連結柵２６を側柵１８の下端に係合させた状態で保持固定する保持手段を、スリットが形成された筒状体及びこの筒状体のおねじに螺合するナットによって構成したが、たとえば下部連結柵と一体的に管状体を設け、この管状体を軸部材にスライド可能に外嵌するとともに、管状体に止めねじを螺合し、このねじを捩じ込んで先端面を上記軸部材の外周面に圧接させることで、下部連結柵を軸部材にスライド不能に固定するようにしてもよい。
【００３３】
【発明の効果】
以上のようにこの発明によれば、ベッドに下端部が着脱可能に保持される軸部材の上端に上部連結柵を設け、下端部に下部連結柵をスライド可能かつ所定の位置で固定可能に設けた。
【００３４】
そのため、上部連結柵を側柵の上端に係合させた状態で、下部連結柵を軸部材に沿ってスライドさせることで、連結柵の取り付け作業や取り外し作業を行なうことができるから、その作業を比較的容易に、しかも確実に行なうことが可能となる。
【図面の簡単な説明】
【図１】この発明の一実施の形態を示す側柵に連結柵が取り付けられたベッドの側面図。
【図２】連結柵の正面図。
【図３】連結柵が取り付けられた側柵の斜視図。
【図４】連結柵の下端部分の一部断面した拡大図。
【符号の説明】
１…ベッド
１６…支持部材
１７…支持孔
１８…側柵
２３…連結柵
２４…軸部材
２６…上部連結柵
２７…下部連結柵
２９…ねじ（係合部材）
３１…ガイド孔
３２…筒状体
３３…おねじ
３４…スリット
３４…ナット
【図１】
2004049557.tif 000003
【図２】
2004049557.tif 000004
【図３】
2004049557.tif 000005
【図４】
2004049557.tif 000006